(57)【特許請求の範囲】
【請求項１】
リール本体に支持されたスプールと、該スプールに釣糸を巻回するべくリール本体に回転可能に支持されると共に、円筒部と一対の腕部とで構成されたロータ本体と、一対の腕部の先端にベール支持部材を介して支持されたベールを備えたロータと、リール本体に回転可能に支持されたハンドルの回転で該ロータを駆動する巻取り駆動機構とを備えた魚釣用スピニングリールにおいて、前記ロータ本体の円筒部の後部は、ベールが釣糸巻取り状態に位置する一方の後部の筒部より小径の筒部で形成した反ベール側の他方の後部のみに、半円形状の筒部に形成されると共に内側に係止用爪部を形成した合成樹脂製の保護部材を、前記ロータの後部に形成した係止凹部に前記係止用爪部を係合させてビスで取付け固定されていることを特徴とする魚釣用スピニングリール。
【発明の詳細な説明】
【０００１】
【発明の属する技術分野】
本発明は、ロ−タ本体の円筒部の後部の傷付きを保護した魚釣用スピニングリ−ルに関する。
【０００２】
【従来の技術】
魚釣用スピニングリ−ルで釣糸巻取り状態にして置き竿すると、ベ−ルで保護されない反ベ−ル側のロ−タ本体の円筒部の後部は釣場の岩や石に当たって傷付きが生じる。
この傷付きを保護するために従来、例えば特開２００１−１９０１９１号公報のようにロ−タ本体の円筒部の後部全面をロ−タカバ−で覆っている。
しかし、円筒部の後部全面をロ−タカバ−で覆っているので、ロ−タ本体の肉厚が薄くなり、強度が弱くなる欠点がある。
更にロ−タ本体へのロ−タカバ−の取付けは部材を変形して係止するパッチン方式を取っているので、組み付けや取り外し時にロ−タカバ−が割れて破損する欠点がある。
【０００３】
他に例えば実開平６−３８５２８号公報のようにバランス調節部材をロ−タ本体の円筒部の後部全面に固定してバランス調節と共に傷付きを保護した例があるが、前者同様にロ−タ本体の肉厚が薄くなり、強度が弱くなる欠点がある。
【０００４】
【発明が解決しようとする課題】
解決しようとする問題点は、円筒部の後部全面をロ−タカバ−で覆うと、ロ−タ本体の肉厚が薄くなり、強度が弱くなる欠点があることである。
【０００５】
本発明の目的は前記欠点に鑑み、ロ−タ本体の強度を落とすことなく釣糸巻取り状態におけるロ−タ本体の反ベ−ル側への傷付きを保護した魚釣用スピニングリ−ルを提供することである。
【０００６】
【課題を解決するための手段】
上記課題を解決するために、リール本体に支持されたスプールと、該スプールに釣糸を巻回するべくリール本体に回転可能に支持されると共に、円筒部と一対の腕部とで構成されたロータ本体と、一対の腕部の先端にベール支持部材を介して支持されたベールを備えたロータと、リール本体に回転可能に支持されたハンドルの回転で該ロータを駆動する巻取り駆動機構とを備えた魚釣用スピニングリールにおいて、前記ロータ本体の円筒部の後部は、ベールが釣糸巻取り状態に位置する一方の後部の筒部より小径の筒部で形成した反ベール側の他方の後部のみに、半円形状の筒部に形成されると共に内側に係止用爪部を形成した合成樹脂製の保護部材を、前記ロータの後部に形成した係止凹部に前記係止用爪部を係合させてビスで取付け固定されていることを要旨とするものである。
【０００８】
【発明の実施の形態】
請求項１の本発明により、ロータ本体２の後側のベール１９にて保護されない反ベール側の後部βのみ保護する保護部材６を取付けることで、ロータ本体後部全面を覆う従来技術と比較して、ロータ本体２の強度低下を確実に抑えることが可能となると共に、ロータ本体２に合成樹脂製の保護部材６を取付けることで、ロータ本体への傷の付着を防ぎ、また、ロータ本体と保護部材６との間で電食や単体腐食が発生するのを効果的に防ぐことが可能となる。また、ビス２０と係止用爪部６ｄと係止凹部２ｉの係合で保護部材６を変形させること無く組み付けや取り外しが可能となり、保護部材６の破損を防ぐことができる。
【０００９】
【実施例】
以下、図示の一実施例によって本発明を説明すると、図１は魚釣用スピニングリ−ルの側面図、図２は魚釣用スピニングリ−ルの（ａ）はロ−タ本体要部の拡大断面側面図で（ｂ）はリ−ル本体後部の要部拡大断面側面図、図３はロ−タの背面図、図４は保護部材が分離されたロ−タの背面図、図５は図４のＦ５−Ｆ５断面線の保護部材が分離されたロ−タ本体の一部断面平面図である。
【００１０】
魚釣用スピニングリ−ルはリ−ル本体１の前側にロ−タＡが回転自在に設けられ、ロ−タＡの前側にスプ−ル３が前後往復動自在に設けられている。
リ−ル本体１の前面に突出した回転筒軸１０にロ−タ本体２が固定され、回転筒軸１０の中を通してロ−タ本体２の前側に突出したスプ−ル軸１１にスプ−ル３が取付けられている。
ロ−タＡはハンドル１２の回転で図示しないピニオンと駆動歯車からなる巻取り駆動機構を介して回転され、スプ−ル３はハンドル１２の回転でトラバ−スカム軸１３と係合駒１４からなるオシレ−ト機構を介して前後に往復動される。
【００１１】
ロ−タ本体２は卑な金属のアルミニウム及びマグネシウム等で、中空軸筒１０に取付けられる中心筒部２ａと前壁２ｂと大径の円筒部２ｃと大径の円筒部２ｃの後側の一方の後部αと他方の後部βと後部αの外周から前方に向けて一対のベ−ル支持腕部２ｄ、２ｅが一体に突出形成されている。
一対のベ−ル支持腕部２ｄ、２ｅの先端部外側に一方のベ−ル支持部材４がビス１５で他方のベ−ル支持部材５がビス１６で実線の釣糸巻取位置と図示しない釣糸放出位置に反転自在に軸承されている。
【００１２】
一方のベ−ル支持部材４には釣糸案内ロ−ラ１７の取付部１８が取付けられている。
他方のベ−ル支持部材５と取付部１８の間にベ−ル１９が取付けられている。
ロ−タＡはロ−タ本体２の一対のベ−ル支持腕部２ｄ、２ｅに反転自在に取り付けられたベ−ル支持部材４、５と釣糸案内ロ−ラ１７と取付部１８とベ−ル１９とで構成されている。
スプ−ル３の外側は前側の鍔部３ａと釣糸巻回胴部３ｂと後側の大径筒部３ｃとで形成されている。
【００１３】
ロ−タ本体２の一方の後部αはベ−ル１９が釣糸巻取り状態に位置する時のベ−ル側で大径の円筒部２ｃより大径の筒部２ｆと肉厚で大径の筒部２ｇで形成されている。
ロ−タ本体２の他方の後部βはベ−ル１９が釣糸巻取り状態に位置する時の反ベ−ル側で、他方の後部β側は後部αと同一の大径筒部２ｆとそれより小径の筒部２ｈと筒部２ｈ外周の係止凹部２ｉとで形成されている。
他方の後部β側は保護部材６で覆われて保護部材６の外形は一方の後部αと同形に形成されている。
【００１４】
保護部材６は合成樹脂で半円形状の筒部６ａに形成されて内側に大径の凹部６ｂとそれより小径の凹部６ｃと凹部６ｂの半円形状の中央の内周に係止用爪部６ｄが形成されている。
保護部材６がロ−タ本体２に取付け固定される時は、他方の後部β後面にビス２０、２０と係止用爪部６ｄをロ−タ本体２側の係止凹部２ｉの係合で取付けられて固定されている。
【００１５】
リ−ル本体１の後側には筒部１ａが形成されて筒部１ａを覆うカバ−７がビス２１で止着されている。
リ−ル本体１と筒部１ａの中にはスプ−ル軸１１とトラバ−スカム軸１３が収容されてスプ−ル軸１１の後端に係合駒１４が取付けられ、係合駒１４の中にトラバ−スカム軸１３が挿通されて係合されている。
筒部１ａには水抜き孔１ｂが穿設され、カバ−７に水抜き孔７ａが穿設されている。
筒部１ａとカバ−７に水抜き孔１ｂ、７ａが穿設されていると、リ−ル本体１内に水が溜らなくなり、内部部品が腐食し難くなる。
【００１６】
前記のように魚釣用スピニングリ−ルが構成されると、ロ−タ本体２の後側のベ−ル１９にて保護されない反ベ−ル側の後部βのみ保護する保護部材６を取付けることで、ロ−タ本体後部全面を覆う従来技術と比較して、ロ−タ本体２の強度低下を確実に抑えることが可能となる。
卑な金属のアルミニウム及びマグネシウム等で形成されたロ−タ本体２に合成樹脂製の保護部材６を取付けることで、ロ−タ本体への傷の付着を防ぎ、また、ロ−タ本体と保護部材６との間で電食や単体腐食が発生するのを効果的に防ぐことが可能となる。
複数のビス２０、２０と係止用爪部６ｄと係止凹部２ｉの係合で保護部材６を変形させること無く組み付けや取り外しが可能となり、保護部材６の破損を防ぐことが出来る。
【００１７】
【発明の効果】
本発明は、以上説明したような形態で実施され、以下に記載されるような効果を奏する。
【００１８】
請求項１の本発明により、ロータ本体の後側のベールにて保護されない反ベール側の後部のみを保護する合成樹脂製の保護部材を半円形状の筒部で形成し、この保護部材の内側に形成した係止用爪部をロータ後部に形成した係止凹部に係合させることで取付け固定する構成としたので、ロータ本体後部全面を覆う従来技術と比較して、ロータ本体の強度低下を確実に抑えることが可能となると共に、ロータ本体に合成樹脂製の保護部材を取付けることで、ロータ本体への傷の付着を防ぎ、ロータ本体と保護部材との間で電食や単体腐食が発生するのを効果的に防ぐことが可能となる。更に、係止凹部に係止用爪部を係合させてビスで取り付け固定することで、保護部材を変形させること無く組み付けや取り外しが可能となり、保護部材の破損を防ぐことができる。
【図面の簡単な説明】
【図１】魚釣用スピニングリ−ルの側面図である。
【図２】魚釣用スピニングリ−ルの（ａ）はロ−タ本体要部の拡大断面側面図で（ｂ）はリ−ル本体後部の要部拡大断面側面図である。
【図３】ロ−タの背面図である。
【図４】保護部材が分離されたロ−タの背面図である。
【図５】図４のＦ５−Ｆ５断面線の保護部材が分離されたロ−タ本体の一部断面平面図である。
【符号の説明】
Ａ  ロ−タ
１  リ−ル本体
２  ロ−タ本体
２ｃ  円筒部
２ｄ、２ｅ  一対のベ−ル支持腕部
２ｉ  係止凹部
３  スプ−ル
４、５  ベ−ル支持部材
６  保護部材
６ｄ  係止用爪部
１２  ハンドル
１９  ベ−ル
２０  ビス
α、β  後部
【図１】
0003999544.tif 000002
【図２】
0003999544.tif 000003
【図３】
0003999544.tif 000004
【図４】
0003999544.tif 000005
【図５】
0003999544.tif 000006